(57)【要約】      （修正有）【課題】模擬血液を採取する実習訓練を複数回行っても、模擬血管中に挿入されたインクなどの模擬血液が漏れ出しにくい臍帯血採取モデル具を提供すること。【解決手段】模擬臍帯静脈チューブ４と、模擬臍帯静脈チューブ４に螺旋状に巻かれた一対の模擬臍帯動脈チューブ６と、模擬臍帯静脈チューブ４及び一対の模擬臍帯動脈チューブ６を覆うように設けられた模擬ワルトン膠質被覆体８とを少なくとも備えた臍帯血採取モデル具２。模擬臍帯静脈チューブ４、一対の模擬臍帯動脈チューブ６及び模擬ワルトン膠質被覆体８は、シリコーンゴムから形成され、模擬ワルトン膠質被覆体８は、模擬臍帯静脈チューブ４及び一対の模擬臍帯動脈チューブ８の外周側の空間を埋めるように設けられている。模擬ワルトン膠質被覆体８を構成するシリコーンゴムは、硬度がデュロメータ（タイプＡ）で２０〜７０であるのが好ましい。【選択図】図１
2018194622.tif 000002
【特許請求の範囲】
【請求項１】
模擬臍帯静脈チューブと、前記模擬臍帯静脈チューブに螺旋状に巻かれた一対の模擬臍帯動脈チューブと、前記模擬臍帯静脈チューブ及び前記一対の模擬臍帯動脈チューブを覆うように設けられた模擬ワルトン膠質被覆体とを少なくとも備えた臍帯血採取モデル具であって、
前記模擬臍帯静脈チューブ、前記一対の模擬臍帯動脈チューブ及び前記模擬ワルトン膠質被覆体は、シリコーンゴムから形成され、前記模擬ワルトン膠質被覆体は、前記模擬臍帯静脈チューブ及び前記一対の模擬臍帯動脈チューブの外周側の空間を埋めるように設けられていることを特徴とする臍帯血採取モデル具。
【請求項２】
前記模擬ワルトン膠質被覆体を構成するシリコーンゴムは、硬度がデュロメータ（タイプＡ）で２０〜７０であることを特徴とする請求項１に記載の臍帯血採取モデル具。
【請求項３】
前記模擬臍帯静脈チューブの外径は、前記一対の模擬臍帯動脈チューブの外径よりも大きいことを特徴とする請求項１又は２に記載の臍帯血採取モデル具。
【請求項４】
前記模擬臍帯静脈チューブ内には第１液体が充填され、前記一対の模擬臍帯動脈チューブ内には第２液体が充填されることを特徴とする請求項１〜３のいずれかに記載の臍帯血採取モデル具。
【請求項５】
前記模擬ワルトン膠質被覆体は、その一端側の第１部分とその他端側の第２部分から構成され、前記第１部分は透明乃至半透明に形成され、前記第２部分は半透明又は不透明に形成され、前記第１部分の透明度合は前記第２部分の透明度合よりも高く、前記第２部分の透明度は模擬ワルトン膠質被覆体の外部から、内部の前記模擬臍帯静脈チューブと、前記模擬臍帯動脈チューブが見えにくくなった半透明状態か又は見えなくなった不透明状態の模擬ワルトン膠質被覆体であることを特徴とする請求項１〜４のいずれかに記載の臍帯血採取モデル具。
【請求項６】
前記模擬ワルトン膠質被覆体が、前記模擬ワルトン膠質被覆体の外部から、内部の前記模擬臍帯静脈チューブと、前記模擬臍帯動脈チューブが見えにくくなった半透明状態か又は見えなくなった不透明状態の模擬ワルトン膠質被覆体であることを特徴とする請求項１〜４のいずれかに記載の臍帯血採取モデル具。
【請求項７】
前記模擬臍帯静脈チューブ及び前記一対の模擬臍帯動脈チューブに用いるシリコーンゴムの硬度がデュロメータ（タイプＡ）で３０〜４０であることを特徴とする請求項１〜６のいずれかに記載の臍帯血採取モデル具。
【発明の詳細な説明】
【技術分野】
【０００１】
本発明は、臍帯血採取の練習に用いる臍帯血採取モデル具に関する。
【背景技術】
【０００２】
産婦人科の医師、助産師として、出産を処置できるようになるには、従来より医学上の知識や理論を学習するほかに、医学上の処置の目的に応じ、人体の処置すべき部分に応じた模擬の部分人体モデルにより、実習を行ってきている。
【０００３】
周産期医療現場において、２００９年から日本では産科医療補償制度が開始され、分娩に関連した重度脳性麻痺発症の原因分析において、ＣＴＧモニターと臍帯血（臍帯動脈血）ガス分析の所見が用いられることになり、分娩取扱い施設では、胎児娩出後、胎盤娩出前に臍帯血の採血を実施している。
【０００４】
そのため、助産師課程を履修する学生の分娩介助実習でも、臍帯血採取の行為を実施する機会が増えている。
【０００５】
臨床現場では臍帯血採取は、胎児娩出後で胎盤が剥離する前に前述した検査用に胎児から母体に還流する血管（臍帯動脈）から血液を採血することが要求されている。この場合、胎児血喪失を最小限にする必要があるので、採血用針（注射器など）の刺入部位からの血液漏出を抑えるため臍帯の妊婦側と胎児側の両側をコッヘルでクランプして、クランプした中間部から採血するが、この臍帯の臍帯動脈からの血液採取の技術の習得を教育することが必要である。さらに、新人助産師や新人産科医師にも、同様に必要な技術である。実際の臍帯は、臍帯静脈と、この臍帯静脈に螺旋状に巻かれた一対の臍帯動脈と、この臍帯静脈及び一対の臍帯動脈を覆うように設けられたワルトン膠質と、このワルトン膠質を覆う羊膜鞘とを備えている。臍帯静脈は臍帯動脈よりも太く、この臍帯静脈の上を２本の臍帯動脈が螺旋状に巻かれているので、太い臍帯静脈からではなく、それより細く臍帯静脈に螺旋状に巻かれている臍帯動脈に採血用の針を間違わずに正確に刺し込んで出産後すぐに採血する訓練が要求されている。
【０００６】
本発明者は、シリコーンゴム製の医療用に用いられている吸引チューブを血管に見立てて、その外側をラッピングフィルムで巻いたものを模擬臍帯として用いて、助産学生らに臍帯血採取の模擬練習の技術教育を行ってきたが、実際の臍帯血採取と比べて現実性が極めて乏しかった。
【０００７】
また、目的は若干異なるが、患者シミュレータシステムとして、下記特許文献１が提案されており、その段落００４８〜００５１には、図１２、図１３も含めて、臍帯の切断に適した技術について医療従事者を訓練する模擬教育システムが提案されている。
【先行技術文献】
【特許文献】
【０００８】
【特許文献１】特表２０１３−５２０６８８号公報
【発明の概要】
【発明が解決しようとする課題】
【０００９】
この患者シミュレータシステムでは、模擬臍帯静脈及び一対の模擬臍帯動脈が模擬ワルトン膠質チューブ内に収容されている。また、この特許文献１の段落００５０には、そのリザーバ３１２に流体が含まれており、この流体が臍帯の血液をシミュレートすることが記載されている。
【００１０】
しかしながら、仮に模擬臍帯静脈と、この模擬臍帯静脈に螺旋状に巻かれた一対の模擬臍帯動脈と、これら模擬臍帯静脈及び一対の模擬臍帯動脈を覆う模擬ワルトン膠質チューブをシリコーンゴムで作成した場合に、具体例として例えば太さ２１Ｇ（すなわち、径が１／２１インチ＝約１．２ｍｍ）の注射針の注射器でほぼ１ｃｃずつ模擬血液を採取する実習訓練を行った場合、模擬血管中に挿入されたインクなどの模擬血液が注射針を抜き去った後の孔から模擬ワルトン膠質チューブ内に漏れてしまい、繰り返し使用することができないという問題があることが分かった。
【００１１】
本発明は、模擬臍帯静脈チューブと、前記模擬臍帯静脈チューブに螺旋状に巻かれた一対の模擬臍帯動脈チューブと、前記模擬臍帯静脈チューブ及び前記一対の模擬臍帯動脈チューブを覆うように設けられた模擬ワルトン膠質被覆体とを少なくとも備えた臍帯血採取モデル具であって、模擬血液を採取する実習訓練を複数回行っても、模擬血管中に挿入されたインクなどの模擬血液が漏れ出しにくい臍帯血採取モデル具を提供するものである。
【００１２】
更には、上記に加えて、注射針を刺す際に模擬臍帯静脈チューブと一対の模擬臍帯動脈チューブとを間違えて、模擬臍帯静脈チューブから模擬血液を採血した場合に、誤りが分かる臍帯血採取モデル具も提供するものである。
【００１３】
更には、上記に加えて、初心者用の練習に適した部分（第１部分）と、より現実の臍帯に近い態様の練習部分（第２部分）とを有する臍帯血採取モデル具を提供するものである。
【課題を解決するための手段】
【００１４】
本発明の請求項１に記載の臍帯血採取モデル具は、模擬臍帯静脈チューブと、前記模擬臍帯静脈チューブに螺旋状に巻かれた一対の模擬臍帯動脈チューブと、前記模擬臍帯静脈チューブ及び前記一対の模擬臍帯動脈チューブを覆うように設けられた模擬ワルトン膠質被覆体とを少なくとも備えた臍帯血採取モデル具であって、
前記模擬臍帯静脈チューブ、前記一対の模擬臍帯動脈チューブ及び前記模擬ワルトン膠質被覆体は、シリコーンゴムから形成され、前記模擬ワルトン膠質被覆体は、前記模擬臍帯静脈チューブ及び前記一対の模擬臍帯動脈チューブの外周側の空間を埋めるように設けられていることを特徴とする。
【００１５】
また、本発明の請求項２に記載の臍帯血採取モデル具では、前記模擬ワルトン膠質被覆体を構成するシリコーンゴムは、硬度がデュロメータ（タイプＡ）で２０〜７０であることを特徴とする。
【００１６】
また、本発明の請求項３に記載の臍帯血採取モデル具では、前記模擬臍帯静脈チューブの外径は、前記一対の模擬臍帯動脈チューブの外径よりも大きいことを特徴とする。
【００１７】
また、本発明の請求項４に記載の臍帯血採取モデル具では、前記模擬臍帯静脈チューブ内には第１液体が充填され、前記一対の模擬臍動脈チューブ内には第２液体が充填されることを特徴とする。
【００１８】
また、本発明の請求項５に記載の臍帯血採取モデル具では、前記模擬ワルトン膠質被覆体は、その一端側の第１部分とその他端側の第２部分から構成され、前記第１部分は透明乃至半透明に形成され、前記第２部分は半透明又は不透明に形成され、前記第１部分の透明度合は前記第２部分の透明度合よりも高く、前記第２部分の透明度は模擬ワルトン膠質被覆体の外部から、内部の前記模擬臍帯静脈チューブと、前記模擬臍帯動脈チューブが見えにくくなった半透明状態か又は見えなくなった不透明状態の模擬ワルトン膠質被覆体であることを特徴とする。
【００１９】
また、本発明の請求項６に記載の臍帯血採取モデル具では、前記模擬ワルトン膠質被覆体が、前記模擬ワルトン膠質被覆体の外部から、内部の前記模擬臍帯静脈チューブと、前記模擬臍帯動脈チューブが見えにくくなった半透明状態か又は見えなくなった不透明状態の模擬ワルトン膠質被覆体であることを特徴とする。
【００２０】
更に、本発明の請求項７に記載の臍帯血採取モデル具では、前記模擬臍帯静脈チューブ及び前記一対の模擬臍帯動脈チューブに用いるシリコーンゴムの硬度がデュロメータ（タイプＡ）で３０〜４０であることを特徴とする。
【発明の効果】
【００２１】
本発明の請求項１に記載の臍帯血採取モデル具によれば、模擬臍帯静脈チューブと、模擬臍帯静脈チューブに螺旋状に巻かれた一対の模擬臍帯動脈チューブと、これら模擬臍帯静脈チューブ及び一対の模擬臍帯動脈チューブを覆うように設けられた模擬ワルトン膠質被覆体と、を備え、模擬ワルトン膠質被覆体は、模擬臍帯静脈チューブ及び一対の模擬臍帯動脈チューブ間の外周側の空間を埋めるように設けられているので、模擬練習の際に採血用の針を正しく刺し込む一対の臍帯動脈としての一対の模擬臍帯動脈チューブは、模擬ワルトン膠質被覆体に覆われた二層構造であり、また採血用の針を誤って刺し込む臍帯静脈としての模擬臍帯静脈チューブも、模擬ワルトン膠質被覆体に覆われた二層構造であり、従って、模擬血液を採取する実習訓練において、採血用の針を正しく刺し込んだとき、また採血用の針を誤って刺し込んだときにも模擬血液が外部に漏れにくく、この実習試験を多数回行うことができる。
【００２２】
また、本発明の請求項２に記載の臍帯血採取モデル具によれば、模擬ワルトン膠質被覆体を構成するシリコーンゴムの硬度がデュロメータ（タイプＡ）で２０〜７０であるので、採血後に針を抜いた際に、模擬ワルトン膠質被覆体の孔（針を抜いた際に生じる孔）が速く且つ確実に閉じるようになり、これにより、模擬血液の外部への漏れをより確実に抑えることができる。
【００２３】
また、本発明の請求項３に記載の臍帯血採取モデル具によれば、前記模擬臍帯静脈チューブの外径は、前記一対の模擬臍帯動脈チューブの外径よりも大きいので、臍帯血採取モデル具の構造を現実の臍帯により近づけることができ、胎児からの臍帯により近いものでもって模擬血液の採血実習を行うことができる。
【００２４】
また、本発明の請求項４に記載の臍帯血採取モデル具によれば、模擬臍帯静脈チューブ内には第１液体が充填され、一対の模擬臍帯動脈チューブ内には第２液体が充填されるので、採血実習において正しく針を刺し込んで採血できたかを容易に確認することができる。一対の模擬臍帯動脈チューブ（採血実習においてはいずれか一方に針を刺し込む）に正しく針を刺し込んで採血したときには、この針を通して第２液体が採取され、また模擬臍帯静脈チューブに誤って針を刺し込んで採血したときには、この針を通して第１液体が採取され、従って、採取された液を見ることによって、正しく針を刺し込んだか否かを容易に確認することができる。
【００２５】
また、本発明の請求項５に記載の臍帯血採取モデル具によれば、模擬ワルトン膠質被覆体の一端側の第１部分は透明乃至半透明に形成され、その他端側の第２部分は半透明又は不透明に形成され、前記第１部分の透明度合は前記第２部分の透明度合よりも高く、前記第２部分の透明度は模擬ワルトン膠質被覆体の外部から、内部の前記模擬臍帯静脈チューブと、前記模擬臍帯動脈チューブが見えにくくなった半透明状態か又は見えなくなった不透明状態の模擬ワルトン膠質被覆体に形成され、第１部分の透明度合は第２部分の透明度合よりも高くなっているので、第１の部分においては、模擬ワルトン膠質被覆体を通して模擬臍帯静脈チューブ及び一対の模擬臍帯動脈チューブを目視することができ、従って、臍帯血採取の初心者でも一対の模擬臍帯動脈チューブを見分けて容易に採血することができる。また、第２の部分においては、透明度合いが低くてより現実の臍帯に近く、一対の模擬臍帯動脈チューブを探して見分けなければならず、従って、より現実に即した臍帯血採取の実習を行うことができる。
【００２６】
また、本発明の請求項６に記載の臍帯血採取モデル具では、前記模擬ワルトン膠質被覆体が、前記模擬ワルトン膠質被覆体の外部から、内部の前記模擬臍帯静脈チューブと、前記模擬臍帯動脈チューブが見えにくくなるか又は見えない程度の半透明ないし不透明に形成されており、透明度合いが現実の臍帯に近い状態にされているので、より現実の臍帯を扱う場合に近く、一対の模擬臍帯動脈チューブを探して見分けなければならず、従って、より現実に即した臍帯血採取の実習を行うことができる。
【００２７】
また、本発明の請求項７に記載の臍帯血採取モデル具では、模擬臍帯静脈チューブ及び一対の模擬臍帯動脈チューブに用いるシリコーンゴムの硬度がデュロメータ（タイプＡ）で３０〜４０であるので、現実の臍帯静脈及び臍帯動脈により近づけたものとして提供することができる。
【図面の簡単な説明】
【００２８】
【図１】本発明に従う臍帯血採取モデル具の一実施形態を示す正面図。
【図２】図１におけるII−II線による断面図。
【図３】図１の臍帯血採取モデル具を製作する際に用いる型枠体を分解して示す断面図。
【図４】図３に示す型枠体を閉じた状態で示す断面図。
【図５】図４におけるＶ−Ｖ線による断面図。
【図６】模擬臍帯静脈チューブに一対の模擬臍帯動脈チューブを螺旋状に巻いた状態を示す正面図。
【図７】本発明に従う臍帯血採取モデル具の他の実施形態を示す正面図。
【発明を実施するための形態】
【００２９】
以下、添付図面を参照して、本発明に従う臍帯血採取モデル具の実施形態について説明する。図１及び図２において、図示の臍帯血採取モデル具２は、臍帯静脈を模擬的に構成する模擬臍帯静脈チューブ４と、臍帯動脈を模擬的に構成する一対の模擬臍帯動脈６と、ワルトン膠質を模擬的に構成する模擬ワルトン膠質被覆体８とを備え、これら模擬臍帯静脈チューブ４、一対の臍帯動脈チューブ６及び模擬ワルトン膠質被覆体８は、模擬的な模擬臍帯１０を構成している。尚、この模擬ワルトン被覆体８の外周面を覆うように模擬羊膜鞘部材（図示せず）を設けるようにし、この模擬羊膜鞘を含むものでもって模擬臍帯１０を構成するようにしてもよい。
【００３０】
この実施形態では、模擬臍帯静脈チューブ４は、例えば、外径が７〜１０ｍｍ（例えば、８ｍｍ）、内径が５〜８ｍｍ（例えば、６ｍｍ）程度のチューブから構成され、また一対の模擬臍帯動脈チューブ６は、例えば、外径が４〜６ｍｍ（例えば、５ｍｍ）、内径が２〜４ｍｍ（例えば、３ｍｍ）程度のチューブから構成され、このように模擬臍帯静脈チューブ４の外径を一対の模擬臍帯動脈チューブ６の外径よりも大きくすることによって、現実の臍帯構造に近づけることができる。
【００３１】
また、模擬ワルトン膠質被覆体８は、模擬臍帯静脈チューブ４及び一対の模擬臍帯動脈チューブ６を被覆するように設けられ、後述する如く製作することによって、これらチューブ４，６の外周側の空間を埋めるように設けられる。このように構成することによって、一対の臍帯動脈の模擬的な一対の模擬臍帯動脈チューブは、模擬ワルトン膠質被覆体に覆われた二層構造となり、また臍帯静脈の模擬的な模擬臍帯静脈チューブも、模擬ワルトン膠質被覆体に覆われた二層構造となる。
【００３２】
このような模擬ワルトン膠質被覆体８の外径は、例えば、１５〜１８ｍｍ（例えば、１６ｍｍ）程度に形成され、模擬臍帯静脈チューブ４及び一対の模擬臍帯動脈チューブ６の両端側は、この模擬ワルトン膠質被覆体８の両端から両側に延びるように設けられる。この模擬ワルトン膠質被覆体８は、例えば、３０〜８０ｃｍ（例えば、５０ｃｍ）程度の長さに形成され、模擬臍帯静脈チューブ４及び一対の臍帯動脈チューブ６は、模擬ワルトン膠質被覆体８の一端（及び他端）から５〜２０ｃｍ（例えば、１０ｃｍ）程度突出するように設けられる。
【００３３】
この実施形態では、一対の模擬臍帯動脈チューブ６は、模擬臍帯静脈チューブ４の外周面に螺旋状に巻かれ、例えば１１回程度反時計方向に螺旋状に巻くことによって、現実の臍帯の構造に近づけることができる。
【００３４】
模擬臍帯静脈チューブ４、一対の模擬臍帯動脈チューブ６及び模擬ワルトン膠質被覆体８の全てをシリコーンゴムから形成し、この模擬ワルトン膠質被覆体８に用いるシリコーンゴムの硬度は、例えば、デュロメータタイプＡの硬度で２０〜７０程度が好ましく、特に３０〜４０程度になるようにシリコーンゴムの種類を選択するのが好ましく、このように選択することによって、後に説明するように、採血訓練時に模擬臍帯静脈チューブ４（又は模擬臍帯動脈チューブ６）から針を抜く際の液漏れを効果的に抑えることができ、多数回にわたって採血訓練を行うことができる。  この模擬ワルトン膠質被覆体８を構成するシリコーンゴムの硬度は硬度が大きいほど、模擬採血の際の模擬血液の漏れが少なくなるが、硬度があまりに大きくなると、現実の臍帯の感触から外れたものになる傾向があり、採血用の注射針も刺しにくくなる傾向がある。あまりに硬度が小さすぎると、強度も弱くべとつく傾向になる。従って、上述の範囲の硬度のシリコーンゴムで構成することが好ましい。また模擬臍帯静脈チューブ４及び模擬臍帯動脈チューブ６を構成するシリコーンゴムの硬度は、特に限定するものではないが、例えばデュロメータ（タイプＡ）の硬度で３０〜４０にするのが好ましい。
【００３５】
これらのシリコーンゴムによる模擬ワルトン膠質被覆体８や模擬臍帯静脈チューブ４および一対の模擬臍帯動脈チューブ６の形成は、各種のシリコーンゴムより、重合した特に所望の硬度になるシリコーンゴム原料を用いればよく、得られる硬度は、シリコーン樹脂メーカーのカタログなどにも記載されており、硬化剤の量を調整した架橋割合によっても調整でき、シリコーン樹脂メーカーに聞いても所望の条件の原料を提示してくれる。シリコーンゴムとしては、特に限定するものではないが、例えば、ビニル基含有ポリジメチルシロキサンを白金触媒で架橋することにより得られるシリコーンゴム等が挙げられる。
【００３６】
この臍帯血採取モデル具２を用いて採血訓練を行うときには、模擬臍帯静脈チューブ４内に第１液体１２が充填され、一対の模擬臍帯動脈チューブ６内に第２液体１４が充填される。第１液体１２と第２液体１４とは、例えば色が異なる液体が充填され、第１液体１２としては、例えば青色、緑色、黒色などの液体が用いられ、第２液体１４としては、例えば赤色、オレンジ色、黄色などの液体が用いられる。また、液体としては、例えばインク、絵の具を溶かしたものなどが用いられる。
【００３７】
第１液体１２（又は第２液体１４）を充填するときには、模擬臍帯静脈チューブ４（又は一対の模擬臍帯動脈チューブ６）の一端部（模擬ワルトン膠質被覆体８の一端から延びる端部）をコッヘル１６（又は１８）でクランプし、かかる状態において、模擬臍帯静脈チューブ４（又は一対の模擬臍帯動脈チューブ６）の他端部（模擬ワルトン膠質被覆体８の他端から延びる端部）から例えば大きな注射器（図示せず）を用いて第１液体１２（又は第２液体１４）を充填し、その後、模擬臍帯静脈チューブ４（又は一対の模擬臍帯動脈チューブ６）のこの他端部をコッヘル２０（又は２２）でクランプすればよく、このように第１及び第２液体１２，１４を充填することによって、臍帯血の採取訓練の状態とすることができる。
【００３８】
そして、このような状態において、模擬ワルトン膠質被覆体８を通して注射針（図示せず）を一対の模擬臍帯動脈チューブ６に差し込んで模擬的に採血し、このようにして臍帯血採取の模擬的訓練を繰り返し行う。このとき、注射針を正しく一対の模擬臍帯動脈チューブ６のどちらかに刺し込んだときには、第２液体１４（例えば、赤色の液体）が採取され、第２液体１４の色を見ることにより注射針を正しく刺し込んだことを容易に確認することができる。一方、注射針を誤って模擬臍帯静脈チューブ４に射し込んだときには、第１液体１２（例えば、青色の液体）が採取され、この第１液体１２の色を見ることにより注射針を誤って刺し込んだことを容易に確認することができる。
【００３９】
このような臍帯血採取モデル具２は、例えば、次のようにして製作することができる。この臍帯血モデル具２を製作するには、例えば、図３〜図５に示す型枠体３２が用いられる。図示の型枠体３２は、細長い矩形状の枠部３４と、この枠部３４内の下部に配設される下型枠３６と、この枠部３４内の上部に配設される上型枠３８とを備えている。枠部３４は、相互に対向する一対の側壁４０，４２と、一対の側壁４０，４２の両端部を接続する一対の端壁４４，４６を有し、これら側壁４０，４２及び端壁４４，４６内に型収容空間を規定する。
【００４０】
下型枠３６は、枠部３４の型収容空間と同様の外形を有し、この型収容空間の下部に収容される。この下型枠３６の上面には、半円形状の下凹部４８が設けられ、この凹部４８は下型枠３６の一端から他端まで直線状に延びている。また、上型枠３８も、下型枠３６と同様に、枠部３４の型収容空間と同様の外形を有し、この型収容空間の上部に収容される。この上型枠３８の下面には、半径状の上凹部５０が設けられ、この上凹部５０は上型枠３８の一端から他端まで直線状に延びている。下型枠３６の下凹部４８及び上型枠３８の上凹部５０は相互に対応して円形状の充填空間５２を規定する。
【００４１】
この下枠体３６及び上枠体３８の構造に対応して、枠部３４の一対の端壁４４，４６には、充填空間５２の断面形状に対応する円形状の貫通開口５４，５６が設けられ、これら貫通開口５４，５６は、型枠体３２の充填空間５２に連通している。
【００４２】
このような型枠体３２を用いて臍帯血採取モデル具２を製作するには、図６に示すように、模擬臍帯静脈チューブ４の外周面に一対の臍帯動脈チューブ６を上述したように螺旋状に巻いた中間チューブ体５８を製作する。また、型枠体３２においては、枠部３４の型収容空間の下部に下枠体を収容する。
【００４３】
そして、このような状態おいて、中間チューブ体５８（模擬臍帯静脈チューブ４及び一対の臍帯動脈チューブ６）の一端側を枠部３４の端壁４４の貫通開口５４を通して外側に導出させ、またその他端側を枠部３４の他方の端壁４６の貫通開口５６を通して外部に導出させる。
【００４４】
次いで、下型枠３６の上側に上型枠３８を装着して型締めを行い、型枠体３２の充填空間５２内にこの中間チューブ体５８を収容する。その後、この型締めの状態において、外部から充填口（図示せず）を通してシリコーンゴムを充填し、充填したシリコーンゴムを所定時間加熱して硬化させ、所望の通りに硬化することによって、図１及び図２に示す臍帯血採取モデル具２を製作することができる。
【００４５】
図７は、臍帯血採取モデル具の他の実施形態を示している。この他の実施形態においては、上述した実施形態と実質上同一の部材には同一の参照番号を付し、その説明を省略している。図７において、この他の実施形態においては、臍帯血採取モデル具２Ａの一端側、具体的には模擬ワルトン膠質被覆体８Ａの一端部側の第１部分６４は透明乃至半透明に形成され、この第１部分６４においては、この模擬ワルトン被覆体８Ａを通して模擬臍帯静脈チューブ４及び一対の模擬臍帯動脈チューブ６を目視することができる。これに対して、臍帯血採取モデル具２Ａの他端側、具体的には模擬ワルトン膠質被覆体８Ａの他端側の第２部分６２は半透明ないし不透明に形成され、この第２部分６２の透明度合は第１部分６４の透明度合よりも低くなっており、従って、この第２部分６２においては、模擬ワルトン膠質被覆体８Ａを通して模擬臍帯静脈チューブ４及び一対の模擬臍帯動脈チューブ６を容易には目視することができないように構成されている。
【００４６】
このような臍帯血採取モデル２Ａにおいては、模擬ワルトン膠質被覆体８Ａの一端側（第１部分６４）を利用して採血訓練を行うときには、模擬ワルトン膠質被覆体８Ａを通して模擬臍帯静脈チューブ４及び一対の模擬臍帯動脈チューブ６を容易に目視することができるために、臍帯血採取の初心者でも一対の模擬臍帯動脈チューブ６を見分けて容易に採血することができ、初心者用の練習に好都合に用いることができる。これに対して、模擬ワルトン膠質被覆体８Ａの他端側（第２部分６２）を利用して採血訓練を行うときには、より現実に近くて透明度合いが悪く、一対の模擬臍帯動脈チューブ６を探して見分けなければならず、これにより、より現実に即した臍帯血採取の実習を行うことができる。
【００４７】
このように長手方向途中で模擬ワルトン膠質被覆体の透明度が変わる模擬臍帯を製造するには、例えば、図示していないが、図５の上枠型３８で型締めする前の状態で、枠型の長手方向半分の下凹部４８中に所定の透明度の高い方の模擬ワルトン膠質被覆体形成用のシリコーンゴム原料を流し込み、枠型の残りの長手方向半分の下凹部４８中に所定の透明度の低い方の模擬ワルトン膠質被覆体形成用のシリコーンゴム原料を流し、中間チューブ体５８(図６参照)をセットし、更にその上から、それぞれの所定の模擬ワルトン膠質被覆体形成用のシリコーンゴム原料を流して上型枠３８を型締めして成形する。この場合、上型枠３８を型締めした時に、模擬ワルトン膠質被覆体形成用のシリコーンゴム原料が型枠外に若干オーバーフローするような量のシリコーンゴム原料を供給することになる。この型締めの状態において、充填したシリコーンゴムを所定時間加熱して硬化させる方法が例示されるが、何らこれに限定されるものではなく、透明度の高い模擬ワルトン膠質被覆体形成された模擬臍帯と透明度の低下した擬ワルトン膠質被覆体形成された模擬臍帯とを別々に製造し、それらを適宜つなぎ合わせるなど、他にも種々の方法がある。
【００４８】
この他の実施形態では、模擬ワルトン膠質被覆体８Ａの一端側（第１部分６４）を透明乃至半透明にして初心者向けにし、その他端側（第２部分６２）を半透明ないし不透明にしてこの一端側よりも透明の度合いを悪くしてより現実に即した練習向けとしているが、このような構成に代えて、模擬ワルトン膠質被覆体８Ａの全体を第１部分６４と同様の透明乃至半透明にしてその全体を初心者向けとするようにしてもよく、或いは、模擬ワルトン膠質被覆体８Ａの全体を第２部分６２と同様の内側の見えにくい半透明ないし不透明にしてその全体を現実に即した練習向けとするようにしてもよい。
【００４９】
本発明の臍帯血採取モデル具の効果を確認するために、次の通りの実験を行った。
【実施例１】
【００５０】
模擬臍帯静脈チューブおよび模擬臍帯動脈チューブの製作
モメンティブ社製型取り用シリコーンゴム”ＴＳＥ３４６６”を使用した。すなわち、”ＴＳＥ３４６６（Ａ）”［主剤］  ２００ｇと”ＴＳＥ３４６６（Ｂ）”［硬化剤］  ２０ｇとを混合し（混合比１０：１）外径８ｍｍ、内径６ｍｍ、長さ８００ｍｍのチューブ１本（模擬臍帯静脈チューブに相当（太い））および、外径５ｍｍ、内径３ｍｍ、長さ１２００ｍｍのチューブ２本（模擬臍帯動脈チューブに相当（細い））を直線状に型取りし、熱風乾燥炉にて７０℃常圧で１時間硬化させる。硬度はいずれもデュロメータ（タイプＡ）で４０であった。
【００５１】
次いで、得られた模擬臍帯動脈チューブ２本を模擬臍帯静脈チューブに、反時計回りに１１回捻転させて巻きつけて、模擬臍帯血管系とする。
【００５２】
模擬臍帯系の製作
模擬臍帯系製作用の型：上記で詳細に説明した上下各半分に分離できる箱状の直方体の型（長さ５１０ｍｍ、幅６０ｍｍ、高さ１５ｍｍ×２）で、その中に円筒状の模擬臍帯膠質部を製作するための型が設置されており、また、長辺の両端には模擬臍帯血管系を通す穴が開いているものを用いた。模擬臍帯動脈チューブ２本を上述のように模擬臍帯静脈チューブに、反時計回りに１１回捻転させて巻きつけた模擬臍帯血管系を上記型にセットし、信越化学工業株式会社製型取り用ＲＴＶシリコーンゴム高強度付加タイプ”ＫＥ−１３１０ＳＴ”を使用する。”ＫＥ−１３１０ＳＴ”［主剤］  ５００ｇに”ＣＡＴ−１３１０Ｓ“［硬化剤］  ５０ｇを混合し模擬臍帯膠質部の材料（液体状）を流し、真空脱泡し、その後常圧下、７０℃で２時間加熱固化し、模擬臍帯を作成した。尚、羊膜鞘に相当する部分は、模擬臍帯膠質部と区別をしなくても実習には特に支障がないので模擬臍帯膠質部と区別せずに形成し、模擬臍帯膠質部とした。模擬臍帯膠質部の硬度はいずれもデュロメータ（タイプＡ）で４０であった。
【００５３】
そして、模擬臍帯動脈チューブ２本には、模擬血液として赤紫色インク液を注入し、模擬臍帯静脈チューブには、模擬血液として赤色インク液を注入した。
【００５４】
得られた模擬臍帯を用い、順次その２０箇所を太さ２３Ｇ（すなわち、径が１／２３インチ＝約１．１ｍｍ）の注射針を用いて模擬臍帯動脈より模擬血液を採取したが、模擬血液の漏れは全くなかった。
【００５５】
このように、模擬ワルトン膠質被覆体は、模擬臍帯静脈チューブ及び一対の模擬臍帯動脈チューブ間の外周側の空間を埋めるように設けられているので、模擬練習の際に採血用の針を正しく刺し込む一対の臍帯動脈としての一対の模擬臍帯動脈チューブは、模擬ワルトン膠質被覆体に覆われた二層構造であり、また採血用の針を誤って刺し込む臍帯静脈としての模擬臍帯静脈チューブも、模擬ワルトン膠質被覆体に覆われた二層構造であり、従って、模擬血液を採取する実習訓練において、採血用の針を正しく刺し込んだとき、また採血用の針を誤って刺し込んだときにも模擬血液が外部に漏れにくく、この実習試験を多数回行うことができた。
【００５６】
更には、好ましくは、擬臍帯膠質部の硬度（デュロメータタイプＡ）を２０以上、より好ましくは３０〜４０とすることにより、臍帯血採取のための注射針の穿刺によって、模擬血液が漏れ出すことを、より確実に防止でき、複数回の模擬血液採取訓練に好適に使用できた。なお、誤って注射針を模擬静脈に刺して、模擬血液を採取した場合には、赤色の模擬血液が採取されるので、誤りが分かる臍帯血採取モデル具が提供できた。なお、訓練用の模擬血液の色は、他の色でもよいことはもちろんである。
【実施例２】
【００５７】
上記実施例１において、模擬臍帯膠質部は、ほぼ透明性を有するので、模擬血管を模擬臍帯膠質部を通して見やすいが、現実の臍帯は白っぽく（個人差があり黄色っぽくなる人もある）、外側から模擬動脈チューブの位置を判別しにくくなっているので、模擬臍帯膠質部は形成するシリコーンゴム材料のうち長さ方向の約半分程度を実施例１と同様に同様の素材を用いて形成し、長さ方向の残り約半分に白色顔料を添加し透明性を低下させて、実際の臍帯膠質部のように、内部の模擬血管を模擬臍帯膠質部の外部からも見にくくなるようにし、その他は実施例１と同様にした。
【００５８】
このタイプは、最初の訓練は、模擬臍帯膠質部がほぼ透明性を有する部分を用いて、模擬動脈血管チューブを間違えないように認識しながら注射針を差し込んで模擬血液を採取し、それに慣れてきたら、白色顔料を添加し透明性を低下させている模擬臍帯膠質部が形成されている方の臍帯血採取モデル具の方を使用して模擬血液を採取する訓練により、実際の臍帯血採取に近い状態で臍帯血採取訓練が可能となった。
【００５９】
なお、上記実施例では、模擬臍帯膠質部の長手方向の略半分をほぼ透明性を有する模擬臍帯膠質部とし、残りの長手方向の略半分を白色顔料を添加し透明性を低下させて、内部の模擬血管チューブを模擬臍帯膠質部の外部からも見にくくなるようにしたが、ほぼ透明性を有する模擬臍帯膠質部とした臍帯血採取モデル具と、白色顔料を添加し透明性を低下させて内側の模擬動脈血管チューブや模擬静脈血管チューブを見えにくくしている模擬臍帯膠質部が形成されている方の臍帯血採取モデル具とを別々に作成し、初期の訓練では、ほぼ透明性を有する模擬臍帯膠質部とした臍帯血採取モデル具を用い、慣れてきたら白色顔料を添加し透明性を低下させて現実の臍帯に近似させている模擬臍帯膠質部が形成されている方の臍帯血採取モデル具の方を使用して訓練する方式でもよい。
【符号の説明】
【００６０】
２，２Ａ  臍帯血採取モデル具
４  模擬臍帯静脈チューブ
６  模擬臍帯動脈チューブ
８  模擬ワルトン膠質被覆体
１０  模擬臍帯
１２  第１液体
１４  第２液体
３２  型枠体
３４  枠部
３６  下枠体
３８  上枠体
【図１】
2018194622.tif 000003
【図２】
2018194622.tif 000004
【図３】
2018194622.tif 000005
【図４】
2018194622.tif 000006
【図５】
2018194622.tif 000007
【図６】
2018194622.tif 000008
【図７】
2018194622.tif 000009